(57)【要約】【課題】家庭内の冷蔵庫の消費電力を抑制する。【解決手段】連携システム１００は、冷蔵庫１０１と、集中コントローラ１０２と、複数の機器１１０とを備える。冷蔵庫１０１は、冷蔵庫１０１周辺の温度を検知するセンサ１３０を有する。機器１１０は、室内の温度を調節する調節機能を有する。機器１１０は、冷蔵庫１０１と同じ部屋に設置される。集中コントローラ１０２は、冷蔵庫１０１のセンサ１３０により検知された温度に応じて、機器１１０の調節機能を制御する。【選択図】図１
2018044767.tif 000002
【特許請求の範囲】
【請求項１】
冷蔵庫周辺の温度を検知するセンサを有する家庭内の冷蔵庫と、
室内の温度を調節する調節機能を有し、前記冷蔵庫と同じ部屋に設置される機器と、
前記冷蔵庫の前記センサにより検知された温度に応じて、前記機器の前記調節機能を制御する集中コントローラと
を備える連携システム。
【請求項２】
前記冷蔵庫は、扉が設けられた冷蔵室と、前記扉に備えられ、前記センサが設けられた操作パネルとを有する、請求項１に記載の連携システム。
【請求項３】
前記機器として、複数の機器を備え、
前記集中コントローラは、前記冷蔵庫の前記センサにより検知された温度が、段階ごとに異なる温度の閾値のうち、どの段階の閾値以上であるかを判定し、段階ごとに異なる機器の組み合わせのうち、該当する段階の組み合わせに含まれる各機器に対し、前記調節機能を用いて室内の少なくとも前記冷蔵庫周辺の温度を下げるよう命令する、請求項１又は２に記載の連携システム。
【請求項４】
前記集中コントローラは、前記冷蔵庫の前記センサにより検知された温度が温度の閾値以上である場合、前記冷蔵庫周辺の温度を下げることで得られる前記冷蔵庫の消費電力の低減量が、前記調節機能を用いて室内の少なくとも前記冷蔵庫周辺の温度を下げることによる前記機器の消費電力量よりも大きければ、前記機器に対し、前記調節機能を用いて室内の少なくとも前記冷蔵庫周辺の温度を下げるよう命令する、請求項１又は２に記載の連携システム。
【請求項５】
前記集中コントローラは、前記冷蔵庫の前記センサにより検知された温度の情報を記憶する記憶部を有し、前記記憶部に記憶した情報から、前記冷蔵庫周辺の温度が基準値よりも高くなる時間帯を予測し、前記時間帯になる前に、前記機器に対し、前記調節機能を用いて室内の少なくとも前記冷蔵庫周辺の温度を下げるよう命令する、請求項１又は２に記載の連携システム。
【請求項６】
前記機器は、前記機器周辺の温度を検知し、
前記集中コントローラは、前記冷蔵庫の前記センサにより検知された温度と前記機器により検知された温度との差が温度差の閾値以上である場合、前記機器に対し、前記調節機能を用いて前記冷蔵庫周辺と前記機器周辺との温度差を小さくするよう命令する、請求項１又は２に記載の連携システム。
【請求項７】
冷蔵庫周辺の温度を検知するセンサを有する家庭内の冷蔵庫から、前記センサにより検知された温度の情報を受信する受信部と、
室内の温度を調節する調節機能を制御するための情報を、前記受信部により受信された情報に基づいて生成する制御部と、
前記調節機能を有し前記冷蔵庫と同じ部屋に設置される機器に対し、前記制御部により生成された情報を送信する送信部と
を備える集中コントローラ。
【請求項８】
集中コントローラが、冷蔵庫周辺の温度を検知するセンサを有する家庭内の冷蔵庫から、前記センサにより検知された温度の情報を受信し、
前記集中コントローラが、室内の温度を調節する調節機能を制御するための情報を、受信した情報に基づいて生成し、
前記集中コントローラが、前記調節機能を有し前記冷蔵庫と同じ部屋に設置される機器に、生成した情報を送信する集中制御方法。
【発明の詳細な説明】
【技術分野】
【０００１】
本発明は、連携システム及び集中コントローラ及び集中制御方法に関するものである。本発明は、例えば、冷蔵庫と冷蔵庫以外の機器が、集中コントローラを介して、接続された連携システムに関するものである。
【背景技術】
【０００２】
近年、家庭電気機器のネットワーク化が進められている。
【０００３】
従来、複数の環境快適装置が相互通信可能となるように接続されたネットワーク家電がある（例えば、特許文献１参照）。空気調和機、加湿器、除湿機、空気清浄機は、環境快適装置である。冷蔵庫は、環境快適装置ではない。
【先行技術文献】
【特許文献】
【０００４】
【特許文献１】特開２００５−３４４９４０号公報
【特許文献２】特開２００８−０７５９１８号公報
【特許文献３】特開２００３−１４８８５６号公報
【特許文献４】特開２０１４−０２０７１５号公報
【特許文献５】特開２００９−２３６４８４号公報
【特許文献６】特開２０１３−１３０３８４号公報
【特許文献７】特開２００１−２３５２１５号公報
【特許文献８】特開２００２−０２２３４２号公報
【特許文献９】特開平１１−１６６７８４号公報
【発明の概要】
【発明が解決しようとする課題】
【０００５】
冷蔵庫が設置されている環境が高湿の場合、扉と扉の間の仕切り部等、比較的断熱性能が低い箇所への露付きを防止するために、露付き防止用ヒータに通電を行う必要がある。結果的に冷蔵庫の消費電力が増加する。
【０００６】
冷蔵庫が設置されている環境が高温の場合、冷蔵庫内と外の温度差が大きくなる。そのため、冷蔵庫内を低温に保つため、圧縮機の回転速度を速め、冷凍能力を高める必要がある。結果的に冷蔵庫の消費電力が増加する。
【０００７】
従来のネットワーク家電では、環境快適装置のみの情報で、運転制御を実施する。そのため、常時電源が入っている冷蔵庫周辺の湿度及び温度の情報を得られない。冷蔵庫の運転にとって快適な空間を作り出すことは困難である。即ち、冷蔵庫周辺が高湿又は高温になることを防止できない。よって、冷蔵庫の消費電力が増加しやすい。
【０００８】
本発明は、家庭内の冷蔵庫の消費電力を抑制することを目的とする。
【課題を解決するための手段】
【０００９】
本発明の一の態様に係る連携システムは、
冷蔵庫周辺の温度を検知するセンサを有する家庭内の冷蔵庫と、
室内の温度を調節する調節機能を有し、前記冷蔵庫と同じ部屋に設置される機器と、
前記冷蔵庫の前記センサにより検知された温度に応じて、前記機器の前記調節機能を制御する集中コントローラと
を備える。
【発明の効果】
【００１０】
本発明では、集中コントローラが、家庭内の冷蔵庫のセンサにより検知された温度に応じて、冷蔵庫と同じ部屋に設置される機器が有する、室内の温度を調節する調節機能を制御する。このため、冷蔵庫周辺を適切な温度に保つことができる。よって、家庭内の冷蔵庫の消費電力を抑制することができる。
【図面の簡単な説明】
【００１１】
【図１】実施の形態１に係る連携システムの構成を示す図。
【図２】実施の形態１に係る集中コントローラの構成を示すブロック図。
【図３】実施の形態１に係る冷蔵庫の正面図。
【図４】実施の形態１に係る冷蔵庫の断面図。
【図５】実施の形態１に係る冷蔵庫の制御装置の構成を示すブロック図。
【図６】実施の形態１の変形例に係る冷蔵庫の制御装置の構成を示すブロック図。
【図７】実施の形態１に係る冷蔵庫の制御装置の動作を示すフローチャート。
【図８】実施の形態１に係る冷蔵庫の制御装置の動作を示すタイミング図。
【図９】実施の形態１に係る冷蔵庫の制御装置の動作を示すフローチャート。
【図１０】実施の形態１に係る連携システムの動作を示すフローチャート。
【図１１】実施の形態３に係る連携システムの動作を示すフローチャート。
【図１２】実施の形態５に係る集中コントローラの構成を示すブロック図。
【図１３】実施の形態５に係る集中コントローラの湿度及び温度の予測例を示す図。
【図１４】実施の形態５に係る連携システムの動作を示すフローチャート。
【図１５】実施の形態６に係る連携システムの構成を示す図。
【図１６】実施の形態６に係る連携システムの動作を示すフローチャート。
【図１７】本発明の実施の形態に係る集中コントローラのハードウェア構成例を示す図。
【発明を実施するための形態】
【００１２】
以下、本発明の実施の形態について、図を用いて説明する。なお、各図中、同一又は相当する部分には、同一符号を付している。実施の形態の説明において、同一又は相当する部分については、その説明を適宜省略又は簡略化する。
【００１３】
実施の形態１．
本実施の形態に係るシステムの構成、本実施の形態に係るシステムの動作、本実施の形態の効果を順番に説明する。
【００１４】
＊＊＊構成の説明＊＊＊
図１を参照して、本実施の形態に係るシステムである連携システム１００の構成を説明する。
【００１５】
連携システム１００は、冷蔵庫１０１と、集中コントローラ１０２と、複数の機器１１０とを備える。連携システム１００が備える機器１１０の数は、適宜変更することができる。機器１１０の台数は、１つでもよい。
【００１６】
本実施の形態において、連携システム１００は、機器１１０として、空気調和機１０３、除湿機１０４、空気清浄機１０５、換気扇１０６を備える。連携システム１００は、機器１１０として、加湿器、ファンヒータ、床暖房、扇風機を備えていてもよい。
【００１７】
連携システム１００は、さらに、太陽光発電パネル１０７、電気自動車１０８、インタフェース機器１０９を備える。
【００１８】
冷蔵庫１０１は、冷蔵庫１０１周辺の湿度及び温度の少なくともいずれかを検知するセンサ１３０を有する。
【００１９】
機器１１０は、室内の湿度及び温度の少なくともいずれかを調節する調節機能を有する。機器１１０は、冷蔵庫１０１と同じ部屋に設置される。機器１１０は、全体が冷蔵庫１０１と同じ部屋に設置されていてもよいし、一部のみが冷蔵庫１０１と同じ部屋に設置されていてもよい。機器１１０は、調節機能を用いて、冷蔵庫１０１が設置された部屋の中の湿度及び温度の少なくともいずれかを調節できる態様で設置されていればよい。
【００２０】
集中コントローラ１０２は、冷蔵庫１０１のセンサ１３０により検知された湿度及び温度の少なくともいずれかに応じて、機器１１０の調節機能を制御する。
【００２１】
本実施の形態において、集中コントローラ１０２は、冷蔵庫１０１のセンサ１３０により検知された湿度が湿度の閾値以上である場合、機器１１０に対し、調節機能を用いて室内の少なくとも冷蔵庫１０１周辺の湿度を下げるよう命令する。
【００２２】
本実施の形態において、集中コントローラ１０２は、冷蔵庫１０１のセンサ１３０により検知された湿度について２段階以上の判定を行う。集中コントローラ１０２は、複数の機器１１０のうち、段階ごとに異なる数の機器１１０の調節機能を制御する。即ち、本実施の形態では、湿度の閾値が２段階以上に分けて設定される。冷蔵庫１０１のセンサ１３０により検知された湿度がどの段階の閾値以上であるかによって、集中コントローラ１０２がどの機器１１０の調節機能を制御するかが決定される。
【００２３】
集中コントローラ１０２は、家庭内の冷蔵庫１０１と有線若しくは無線にて接続されている。集中コントローラ１０２は、家庭内の空気調和機１０３、除湿機１０４、空気清浄機１０５、換気扇１０６等の機器１１０とも有線若しくは無線にて接続されている。集中コントローラ１０２は、太陽光発電パネル１０７及び電気自動車１０８にも接続されている。集中コントローラ１０２は、太陽光発電パネル１０７の発電、及び、電気自動車１０８の充電の状況により、家庭内の電力負荷の調整を行う。集中コントローラ１０２は、据付型若しくはタブレット型のインタフェース機器１０９とも接続されている。ユーザは、インタフェース機器１０９を用いて、電力の使用状況の確認、及び、機器１１０の操作を行うことが可能である。集中コントローラ１０２は、家庭内の給湯器、照明、テレビ等、室内の湿度及び温度の調節機能を有さない機器とも有線若しくは無線にて接続されていてもよい。
【００２４】
集中コントローラ１０２は、外部ネットワーク４０１にも接続されている。集中コントローラ１０２は、外部ネットワーク４０１を介して、天気の情報、気温の情報、電力会社からの電力供給情報等、機器１１０の制御に有用な情報を取得する。集中コントローラ１０２は、外部ネットワーク４０１を介して、電力の使用状況、機器１１０の運転状況等の情報をデータサーバに送信する。
【００２５】
図２を参照して、集中コントローラ１０２の構成を説明する。
【００２６】
集中コントローラ１０２は、受信部２０１と、制御部２０２と、送信部２０３とを有する。
【００２７】
受信部２０１は、冷蔵庫１０１から、センサ１３０により検知された湿度及び温度の少なくともいずれかの情報を受信する。
【００２８】
制御部２０２は、室内の湿度及び温度の少なくともいずれかを調節する調節機能を制御するための情報を、受信部２０１により受信された情報に基づいて生成する。
【００２９】
本実施の形態において、制御部２０２は、受信部２０１により受信された情報が示す湿度が湿度の閾値以上である場合、室内の少なくとも冷蔵庫１０１周辺の湿度を下げるよう命令する情報を生成する。
【００３０】
送信部２０３は、機器１１０に対し、制御部２０２により生成された情報を送信する。
【００３１】
図３及び図４を参照して、冷蔵庫１０１の構成を説明する。
【００３２】
冷蔵庫１０１は、最上段に冷蔵室１１１を備えている。冷蔵室１１１は、２枚の扉１２１を有している。冷蔵室１１１の１枚の扉１２１には、冷蔵庫１０１の各室の設定温度の調節、及び、急冷等の指示を行うための操作パネル１３１が備えられている。操作パネル１３１は、冷蔵庫１０１周辺の温度を検知する外気温度センサ１３２を備えている。外気温度センサ１３２は、センサ１３０の１つである。外気温度センサ１３２は、冷蔵庫１０１周辺の温度を検知できる場所であれば、操作パネル１３１以外の場所に備えられていてもよい。
【００３３】
冷蔵庫１０１は、冷蔵室１１１の下に、製氷室１１２、冷凍室１１３、野菜室１１４、切り替え室１１５を備えている。製氷室１１２、冷凍室１１３、野菜室１１４は、それぞれ１枚の扉１２２，１２３，１２４を有している。図４に示していないが、切り替え室１１５も、１枚の扉を有している。
【００３４】
冷蔵庫１０１は、冷蔵室１１１の扉１２１の上部に、冷蔵室１１１の扉１２１の開閉の軸となる、図示していないヒンジ部を備えている。ヒンジ部は、取り外し可能なヒンジカバー１３３により覆われている。ヒンジカバー１３３内には、冷蔵庫１０１周辺の湿度を検知する湿度センサ１３４が備えられている。湿度センサ１３４も、センサ１３０の１つである。湿度センサ１３４は、冷蔵庫１０１周辺の湿度を検知できる場所であれば、ヒンジカバー１３３以外の場所に備えられていてもよい。
【００３５】
冷蔵庫１０１は、冷蔵室１１１の２枚の扉１２１の間に、扉１２１の間からの冷気の流出を防ぐための回転仕切り板１３５を備えている。回転仕切り板１３５内には、結露防止用ヒータ１３６が備えられている。
【００３６】
冷蔵庫１０１は、上面に、集中コントローラ１０２と通信するための通信アダプタ１３７を備えている。
【００３７】
冷蔵庫１０１は、内部に、冷却器１３８、圧縮機１３９、庫内ファン１４０を備えている。冷却器１３８及び圧縮機１３９等で構成される冷凍サイクルで生成された冷気は、庫内ファン１４０により、各室につながる風路に送り込まれる。風路内には、図示していない開閉可能なダンパが設けられている。各室に設けられた、図示していない温度センサの検知温度によりダンパの開閉が行われることで、各室の温度調節が行われる。各室を冷却した冷気は、冷却器１３８の元へ戻り、再び冷却されて、庫内ファン１４０により各室に送られ、循環する。
【００３８】
冷蔵庫１０１は、背面に制御装置１４１を備えている。
【００３９】
図５を参照して、冷蔵庫１０１の制御装置１４１の構成を説明する。
【００４０】
制御装置１４１には、冷蔵庫１０１の制御を行うマイクロコントローラ１４２が備えられている。
【００４１】
制御装置１４１には、各アクチュエータ及び各センサが接続されている。マイクロコントローラ１４２は、操作パネル１３１の外気温度センサ１３２、各室の温度センサ、扉開閉センサ、湿度センサ１３４の検知信号の入力により、結露防止用ヒータ１３６、圧縮機１３９、庫内ファン１４０の動作の開始又は停止、及び、各室につながる風路に設けられたダンパの開閉を決定する。
【００４２】
制御装置１４１には、通信アダプタ１３７も接続されている。マイクロコントローラ１４２は、通信アダプタ１３７を介して、集中コントローラ１０２と情報のやり取りを実施する。
【００４３】
図６を参照して、本実施の形態の変形例に係る冷蔵庫１０１の制御装置１４１の構成を説明する。
【００４４】
図５の構成では、通信アダプタ１３７と制御装置１４１とが個別に設けられているが、図６の構成のように、制御装置１４１内に通信アダプタ１３７の代わりに通信回路１４３が設けられてもよい。図５の構成では、連携システム１００を使用するユーザにだけ、通信アダプタ１３７を提供することで、制御装置１４１を安価に作製することができる。図６の構成では、冷蔵庫１０１の外に通信用の部品を取り付けなくても、ユーザに連携システム１００を利用させることができる。
【００４５】
＊＊＊動作の説明＊＊＊
以下では、冷蔵庫１０１が自ら冷蔵庫１０１周辺の湿度及び温度を調節する動作を説明した後、連携システム１００が冷蔵庫１０１周辺の湿度を調節する動作を説明する。連携システム１００の動作のうち、集中コントローラ１０２の動作は、本実施の形態に係る集中制御方法に相当する。
【００４６】
図７を参照して、冷蔵庫１０１が冷蔵庫１０１周辺の湿度を調節する動作を説明する。
【００４７】
ステップ１において、制御装置１４１は、湿度センサ１３４により検知される湿度が８０％以上かどうかの判定を行う。湿度が８０％以上であれば、ステップ２において、制御装置１４１は、結露防止用ヒータ１３６を通電率９０％で駆動する。ここで、図８に、結露防止用ヒータ１３６の通電率と駆動タイミングとの関係を示す。通電率とは、結露防止用ヒータ１３６に単位時間１０秒あたり何秒通電するかを示す割合である。例えば、「通電率６０％」であれば、結露防止用ヒータ１３６が単位時間１０秒あたり６秒間オンになり、４秒間オフになるサイクルが繰り返し実施される。単位時間は１０秒に限らず、数秒、数十秒、或いは、数分でもよい。
【００４８】
ステップ１にて湿度が８０％未満の場合、ステップ３において、制御装置１４１は、湿度が６０％以上かどうかの判定を行う。湿度が６０％以上であれば、ステップ４において、制御装置１４１は、結露防止用ヒータ１３６を通電率６０％で駆動する。湿度が６０％未満であれば、ステップ５において、制御装置１４１は、湿度が４０％以上かどうかの判定を行う。湿度が４０％以上であれば、ステップ６において、制御装置１４１は、結露防止用ヒータ１３６を通電率３０％で駆動する。湿度が４０％未満であれば、ステップ７において、制御装置１４１は、結露防止用ヒータ１３６をオフにする。
【００４９】
段階数及び通電率は、適宜変更することができる。即ち、図７では、湿度の判定が８０％、６０％、４０％の３段階で行われているが、もっと細かく段階を分けてもよいし、２段階に変更してもよい。また、例えば、湿度が８０％以上のときに、結露防止用ヒータ１３６の通電率が９０％となっているが、回転仕切り板１３５が結露しない温度になる通電率であれば、通電率を変更してよい。
【００５０】
図９を参照して、冷蔵庫１０１が冷蔵庫１０１周辺の温度を調節する動作を説明する。
【００５１】
ステップ１において、制御装置１４１は、外気温度センサ１３２により検知される温度が３０℃以上かどうかの判定を行う。温度が３０℃以上であれば、ステップ２において、制御装置１４１は、圧縮機１３９を回転数８０ｒｐｓ（回転毎秒）で運転する。温度が３０℃未満であれば、ステップ３において、制御装置１４１は、温度が２０℃以上かどうかの判定を行う。温度が２０℃以上であれば、ステップ４において、制御装置１４１は、圧縮機１３９を回転数６０ｒｐｓで運転する。温度が２０℃未満であれば、ステップ５において、制御装置１４１は、温度が１０℃以上かどうかの判定を行う。温度が１０℃以上であれば、ステップ６において、制御装置１４１は、圧縮機１３９を回転数４０ｒｐｓで運転する。温度が１０℃未満であれば、ステップ７において、制御装置１４１は、圧縮機１３９を回転数２０ｒｐｓで運転する。
【００５２】
段階数及び回転数は、適宜変更することができる。即ち、図９では、温度の判定が３０℃、２０℃、１０℃の３段階で行われているが、もっと細かく段階を分けてもよいし、２段階に変更してもよい。また、例えば、温度が３０℃以上のときに、圧縮機１３９の回転数が８０ｒｐｓとなっているが、外気温度に応じて冷蔵庫１０１内を冷却できる回転数であれば、回転数を変更してよい。
【００５３】
図１０を参照して、連携システム１００が冷蔵庫１０１周辺の湿度を調節する動作を説明する。
【００５４】
湿度の閾値は、任意に設定可能であるが、本実施の形態では、８０％、６０％、４０％の３段階で設定されている。
【００５５】
ステップ１において、冷蔵庫１０１の制御装置１４１は、湿度センサ１３４より検知された湿度の情報を集中コントローラ１０２に送信する。集中コントローラ１０２の受信部２０１は、冷蔵庫１０１から送信された情報を受信する。集中コントローラ１０２の制御部２０２は、受信部２０１により受信された情報が示す湿度が８０％以上かどうかの判定を行う。湿度が８０％以上の場合、ステップ２において、集中コントローラ１０２の制御部２０２は、空気調和機１０３の除湿運転、除湿機１０４の運転、換気扇１０６の運転をそれぞれ開始するように指令する情報を生成する。集中コントローラ１０２の送信部２０３は、空気調和機１０３、除湿機１０４、換気扇１０６に対し、制御部２０２により生成された情報を送信する。
【００５６】
湿度が８０％未満の場合、ステップ３において、集中コントローラ１０２の制御部２０２は、湿度が６０％以上かどうかの判定を行う。湿度が６０％以上の場合、ステップ４において、集中コントローラ１０２の制御部２０２は、空気調和機１０３の除湿運転、及び、除湿機１０４の運転をそれぞれ開始するように指令する情報を生成する。集中コントローラ１０２の送信部２０３は、空気調和機１０３及び除湿機１０４に対し、制御部２０２により生成された情報を送信する。
【００５７】
湿度が６０％未満の場合、ステップ５において、集中コントローラ１０２の制御部２０２は、湿度が４０％以上かどうかの判定を行う。湿度が４０％以上の場合、ステップ６において、集中コントローラ１０２の制御部２０２は、除湿機１０４の運転を開始するように指令する情報を生成する。集中コントローラ１０２の送信部２０３は、除湿機１０４に対し、制御部２０２により生成された情報を送信する。
【００５８】
湿度が４０％未満の場合、ステップ７において、集中コントローラ１０２の制御部２０２は、機器１１０の制御は特に実施しない。
【００５９】
段階数、運転する機器１１０の組み合わせ、運転の態様は、適宜変更することができる。即ち、図１０では、湿度の判定が８０％、６０％、４０％の３段階で行われているが、もっと細かく段階を分けてもよいし、２段階に変更してもよい。また、例えば、湿度が８０％以上のときに、空気調和機１０３の除湿運転、除湿機１０４の運転、換気扇１０６の運転を開始しているが、適切に湿度を下げられる機器１１０であれば、他の機器１１０の運転を開始してもよい。或いは、適切に湿度を下げられる態様であれば、空気調和機１０３又は除湿機１０４又は換気扇１０６の運転の態様を変更してもよい。例えば、既に空気調和機１０３が運転中であった場合、集中コントローラ１０２は、風速を強めるように空気調和機１０３を制御してもよい。
【００６０】
本実施の形態では、集中コントローラ１０２から各機器１１０に指令を送信しているが、集中コントローラ１０２からは各機器１１０に冷蔵庫１０１周辺の湿度の情報を送信するだけで、各機器１１０が自らの判断によって湿度を下げるための運転を行ってもよい。
【００６１】
＊＊＊効果の説明＊＊＊
本実施の形態では、集中コントローラ１０２が、冷蔵庫１０１のセンサ１３０により検知された湿度に応じて、冷蔵庫１０１と同じ部屋に設置される機器１１０が有する、室内の湿度を調節する調節機能を制御する。このため、冷蔵庫１０１周辺を適切な湿度に保つことができる。よって、冷蔵庫１０１の消費電力を抑制することができる。
【００６２】
本実施の形態では、冷蔵庫１０１周辺の湿度を検知する湿度センサ１３４を備えた冷蔵庫１０１と、機器１１０とが、集中コントローラ１０２を介して、有線若しくは無線で接続されている。冷蔵庫１０１が検知する湿度が閾値を超えた場合には、冷蔵庫１０１周辺の湿度を下げるように、機器１１０が制御される。本実施の形態によれば、冷蔵庫１０１周辺の湿度が高くなった場合には、機器１１０により冷蔵庫１０１周辺の湿度を下げることができる。よって、冷蔵庫１０１が結露防止用ヒータ１３６に無駄に通電することがない。或いは、結露防止用ヒータ１３６の通電率を下げることができる。このため、消費電力を低減することができる。
【００６３】
実施の形態２．
本実施の形態について、主に実施の形態１との差異を説明する。
【００６４】
本実施の形態に係る連携システム１００の構成については、図１に示した実施の形態１のものと同じである。
【００６５】
本実施の形態において、集中コントローラ１０２は、冷蔵庫１０１のセンサ１３０により検知された湿度が湿度の閾値以上である場合、冷蔵庫１０１周辺の湿度を下げることで得られる冷蔵庫１０１の消費電力の低減量が、調節機能を用いて室内の少なくとも冷蔵庫１０１周辺の湿度を下げることによる機器１１０の消費電力量よりも大きければ、機器１１０に対し、調節機能を用いて室内の少なくとも冷蔵庫１０１周辺の湿度を下げるよう命令する。
【００６６】
集中コントローラ１０２の構成については、図２に示した実施の形態１のものと同じである。
【００６７】
本実施の形態において、制御部２０２は、受信部２０１により受信された情報が示す湿度が湿度の閾値以上である場合、冷蔵庫１０１周辺の湿度を下げることで得られる冷蔵庫１０１の消費電力の低減量が、調節機能を用いて室内の少なくとも冷蔵庫１０１周辺の湿度を下げることによる機器１１０の消費電力量よりも大きければ、室内の少なくとも冷蔵庫１０１周辺の湿度を下げるよう命令する情報を生成する。制御部２０２は、受信部２０１により受信された情報が示す湿度が湿度の閾値以上である場合でも、冷蔵庫１０１周辺の湿度を下げることで得られる冷蔵庫１０１の消費電力の低減量が、調節機能を用いて室内の少なくとも冷蔵庫１０１周辺の湿度を下げることによる機器１１０の消費電力量以下であれば、室内の少なくとも冷蔵庫１０１周辺の湿度を下げるよう命令する情報を生成しない。
【００６８】
本実施の形態では、湿度が下がることにより得られる冷蔵庫１０１の消費電力の低減量と、湿度を下げるように機器１１０を制御するために必要な消費電力量とを事前に比較する。そして、冷蔵庫１０１の消費電力の低減量が大きい場合にのみ、機器１１０を制御する。そのため、連携システム１００全体として、消費電力量を低減することができる。
【００６９】
実施の形態３．
本実施の形態に係るシステムの構成、本実施の形態に係るシステムの動作、本実施の形態の効果を順番に説明する。主に実施の形態１との差異を説明する。
【００７０】
＊＊＊構成の説明＊＊＊
本実施の形態に係る連携システム１００の構成については、図１に示した実施の形態１のものと同じである。
【００７１】
本実施の形態において、集中コントローラ１０２は、冷蔵庫１０１のセンサ１３０により検知された温度が温度の閾値以上である場合、機器１１０に対し、調節機能を用いて室内の少なくとも冷蔵庫１０１周辺の温度を下げるよう命令する。
【００７２】
本実施の形態において、集中コントローラ１０２は、冷蔵庫１０１のセンサ１３０により検知された温度について２段階以上の判定を行う。集中コントローラ１０２は、複数の機器１１０のうち、段階ごとに異なる数の機器１１０の調節機能を制御する。即ち、本実施の形態では、温度の閾値が２段階以上に分けて設定される。冷蔵庫１０１のセンサ１３０により検知された温度がどの段階の閾値以上であるかによって、集中コントローラ１０２がどの機器１１０の調節機能を制御するかが決定される。
【００７３】
集中コントローラ１０２の構成については、図２に示した実施の形態１のものと同じである。
【００７４】
本実施の形態において、制御部２０２は、受信部２０１により受信された情報が示す温度が温度の閾値以上である場合、室内の少なくとも冷蔵庫１０１周辺の温度を下げるよう命令する情報を生成する。
【００７５】
＊＊＊動作の説明＊＊＊
図１１を参照して、連携システム１００が冷蔵庫１０１周辺の温度を調節する動作を説明する。連携システム１００の動作のうち、集中コントローラ１０２の動作は、本実施の形態に係る集中制御方法に相当する。
【００７６】
温度の閾値は、任意に設定可能であるが、本実施の形態では、３０℃及び２０℃の２段階で設定されている。
【００７７】
ステップ１において、冷蔵庫１０１の制御装置１４１は、外気温度センサ１３２より検知された温度の情報を集中コントローラ１０２に送信する。集中コントローラ１０２の受信部２０１は、冷蔵庫１０１から送信された情報を受信する。集中コントローラ１０２の制御部２０２は、受信部２０１により受信された情報が示す温度が３０℃以上かどうかの判定を行う。温度が３０℃以上の場合、ステップ２において、集中コントローラ１０２の制御部２０２は、空気調和機１０３の冷房運転、及び、換気扇１０６の運転をそれぞれ開始するように指令する情報を生成する。集中コントローラ１０２の送信部２０３は、空気調和機１０３及び換気扇１０６に対し、制御部２０２により生成された情報を送信する。
【００７８】
温度が３０℃未満の場合、ステップ３において、集中コントローラ１０２の制御部２０２は、温度が２０℃以上かどうかの判定を行う。温度が２０℃以上の場合、ステップ４において、集中コントローラ１０２の制御部２０２は、空気調和機１０３の冷房運転をそれぞれ開始するように指令する情報を生成する。集中コントローラ１０２の送信部２０３は、空気調和機１０３に対し、制御部２０２により生成された情報を送信する。
【００７９】
温度が２０℃未満の場合、ステップ５において、集中コントローラ１０２の制御部２０２は、機器１１０の制御は特に実施しない。
【００８０】
段階数、運転する機器１１０の組み合わせ、運転の態様は、適宜変更することができる。即ち、図１１では、温度の判定が３０℃及び２０℃の２段階で行われているが、もっと細かく段階を分けてもよい。また、例えば、温度が３０℃以上のときに、空気調和機１０３の冷房運転、及び、換気扇１０６の運転を開始しているが、適切に温度を下げられる機器１１０であれば、他の機器１１０の運転を開始してもよい。或いは、適切に温度を下げられる態様であれば、空気調和機１０３又は換気扇１０６の運転の態様を変更してもよい。例えば、既に空気調和機１０３が運転中であった場合、集中コントローラ１０２は、設定温度を下げるように空気調和機１０３を制御してもよい。
【００８１】
本実施の形態では、集中コントローラ１０２から各機器１１０に指令を送信しているが、集中コントローラ１０２からは各機器１１０に冷蔵庫１０１周辺の温度の情報を送信するだけで、各機器１１０が自らの判断によって温度を下げるための運転を行ってもよい。
【００８２】
＊＊＊効果の説明＊＊＊
本実施の形態では、集中コントローラ１０２が、冷蔵庫１０１のセンサ１３０により検知された温度に応じて、冷蔵庫１０１と同じ部屋に設置される機器１１０が有する、室内の温度を調節する調節機能を制御する。このため、冷蔵庫１０１周辺を適切な温度に保つことができる。よって、冷蔵庫１０１の消費電力を抑制することができる。
【００８３】
本実施の形態では、冷蔵庫１０１周辺の温度を検知する外気温度センサ１３２を備えた冷蔵庫１０１と、機器１１０とが、集中コントローラ１０２を介して、有線若しくは無線で接続されている。冷蔵庫１０１が検知する温度が閾値を超えた場合には、冷蔵庫１０１周辺の温度を下げるように、機器１１０が制御される。本実施の形態によれば、冷蔵庫１０１周辺の温度が高くなった場合には、機器１１０により冷蔵庫１０１周辺の温度を下げることができる。よって、圧縮機１３９の回転数を低くすることができる。このため、消費電力を低減することができる。
【００８４】
実施の形態４．
本実施の形態について、主に実施の形態３との差異を説明する。
【００８５】
本実施の形態に係る連携システム１００の構成については、図１に示した実施の形態１のものと同じである。
【００８６】
本実施の形態において、集中コントローラ１０２は、冷蔵庫１０１のセンサ１３０により検知された温度が温度の閾値以上である場合、冷蔵庫１０１周辺の温度を下げることで得られる冷蔵庫１０１の消費電力の低減量が、調節機能を用いて室内の少なくとも冷蔵庫１０１周辺の温度を下げることによる機器１１０の消費電力量よりも大きければ、機器１１０に対し、調節機能を用いて室内の少なくとも冷蔵庫１０１周辺の温度を下げるよう命令する。
【００８７】
集中コントローラ１０２の構成については、図２に示した実施の形態１のものと同じである。
【００８８】
本実施の形態において、制御部２０２は、受信部２０１により受信された情報が示す温度が温度の閾値以上である場合、冷蔵庫１０１周辺の温度を下げることで得られる冷蔵庫１０１の消費電力の低減量が、調節機能を用いて室内の少なくとも冷蔵庫１０１周辺の温度を下げることによる機器１１０の消費電力量よりも大きければ、室内の少なくとも冷蔵庫１０１周辺の温度を下げるよう命令する情報を生成する。制御部２０２は、受信部２０１により受信された情報が示す温度が温度の閾値以上である場合でも、冷蔵庫１０１周辺の温度を下げることで得られる冷蔵庫１０１の消費電力の低減量が、調節機能を用いて室内の少なくとも冷蔵庫１０１周辺の温度を下げることによる機器１１０の消費電力量以下であれば、室内の少なくとも冷蔵庫１０１周辺の温度を下げるよう命令する情報を生成しない。
【００８９】
本実施の形態では、温度が下がることにより得られる冷蔵庫１０１の消費電力の低減量と、温度を下げるように機器１１０を制御するために必要な消費電力量とを事前に比較する。そして、冷蔵庫１０１の消費電力の低減量が大きい場合にのみ、機器１１０を制御する。そのため、連携システム１００全体として、消費電力量を低減することができる。
【００９０】
実施の形態５．
本実施の形態に係るシステムの構成、本実施の形態に係るシステムの動作、本実施の形態の効果を順番に説明する。主に実施の形態１との差異を説明する。
【００９１】
＊＊＊構成の説明＊＊＊
本実施の形態に係る連携システム１００の構成については、図１に示した実施の形態１のものと同じである。
【００９２】
本実施の形態において、集中コントローラ１０２は、冷蔵庫１０１のセンサ１３０により検知された湿度及び温度の少なくともいずれかの情報を記憶する。集中コントローラ１０２は、記憶した情報から、冷蔵庫１０１周辺の湿度及び温度の少なくともいずれかが基準値よりも高くなる時間帯を予測する。集中コントローラ１０２は、その時間帯になる前に、機器１１０に対し、調節機能を用いて室内の少なくとも冷蔵庫１０１周辺の湿度及び温度の少なくともいずれかを下げるよう命令する。
【００９３】
図１２を参照して、集中コントローラ１０２の構成を説明する。
【００９４】
集中コントローラ１０２は、受信部２０１と、制御部２０２と、送信部２０３とに加えて、記憶部２０４を有する。
【００９５】
記憶部２０４は、冷蔵庫１０１のセンサ１３０により検知された湿度及び温度の少なくともいずれかの情報を記憶する。この情報は、受信部２０１により受信された情報であってもよいし、受信部２０１により受信された情報が加工された情報であってもよい。
【００９６】
制御部２０２は、記憶部２０４に記憶された情報から、冷蔵庫１０１周辺の湿度及び温度の少なくともいずれかが基準値よりも高くなる時間帯を予測する。制御部２０２は、その時間帯になる前に、室内の少なくとも冷蔵庫１０１周辺の湿度を下げるよう命令する情報を生成する。
【００９７】
送信部２０３は、制御部２０２により予測された時間帯になる前に、機器１１０に対し、制御部２０２により生成された情報を送信する。
【００９８】
＊＊＊動作の説明＊＊＊
まず、図１３を用いて、湿度及び温度の予測方法の説明を行う。
【００９９】
冷蔵庫１０１の制御装置１４１は、湿度センサ１３４で検知された湿度と、外気温度センサ１３２で検知された外気温度との情報を、数分ごと又は数十秒ごと又は数秒ごとに集中コントローラ１０２に送信する。集中コントローラ１０２の受信部２０１は、冷蔵庫１０１から送信された情報を受信する。集中コントローラ１０２の制御部２０２は、受信部２０１により受信された情報から、１時間ごとの平均の湿度及び温度を計算する。制御部２０２は、計算結果を記憶部２０４に記憶する。制御部２０２は、記憶部２０４に２４時間分の湿度及び温度の情報が記憶された時点で、２４時間のうち、最も湿度が高い時間帯を高湿度期間、最も温度が高い時間帯を高温度期間に決定する。
【０１００】
湿度及び温度を記憶する単位及び範囲は、適宜変更することができる。図１３では、１時間ごとの平均値が１日分記憶されているが、３０分ごとの平均値、或いは、２時間単位の平均値を記憶してもよいし、平均値を２日分或いは１週間分記憶してもよい。湿度及び温度を記憶する単位及び範囲は、記憶部２０４の容量に合わせて決定することが望ましい。また、平均値に代えて、中央値、最小値、最大値といった他の統計値が記憶されてもよい。
【０１０１】
次に、図１４を参照して、連携システム１００の動作を説明する。連携システム１００の動作のうち、集中コントローラ１０２の動作は、本実施の形態に係る集中制御方法に相当する。
【０１０２】
湿度の基準値は、任意に決めることができるが、本実施の形態では、１日の各時間帯の湿度のうち、２番目に高い湿度である。即ち、本実施の形態では、湿度が最も高い時間帯が、湿度が湿度の基準値よりも高くなる時間帯である。
【０１０３】
温度の基準値も、任意に決めることができるが、本実施の形態では、１日の各時間帯の温度のうち、２番目に高い温度である。即ち、本実施の形態では、温度が最も高い時間帯が、温度が温度の基準値よりも高くなる時間帯である。
【０１０４】
ステップ１において、集中コントローラ１０２の制御部２０２は、現在時刻が高湿度期間の１時間前かどうかの判定を実施する。現在時刻が高湿度期間の１時間前であれば、ステップ２において、集中コントローラ１０２の制御部２０２は、現在時刻が高温度期間の１時間前かどうかの判定を実施する。現在時刻が高温度期間の１時間前であれば、ステップ３において、集中コントローラ１０２の制御部２０２は、空気調和機１０３の冷房運転、除湿機１０４の運転、換気扇１０６の運転をそれぞれ開始するように指令する情報を生成する。集中コントローラ１０２の送信部２０３は、空気調和機１０３、除湿機１０４、換気扇１０６に対し、制御部２０２により生成された情報を送信する。
【０１０５】
現在時刻が高温度期間の１時間前でなければ、ステップ４において、集中コントローラ１０２の制御部２０２は、空気調和機１０３の除湿運転、及び、除湿機１０４の運転をそれぞれ開始するように指令する情報を生成する。集中コントローラ１０２の送信部２０３は、空気調和機１０３及び除湿機１０４に対し、制御部２０２により生成された情報を送信する。
【０１０６】
ステップ１にて現在時刻が高湿度期間の１時間前でなければ、ステップ５において、集中コントローラ１０２の制御部２０２は、現在時刻が高温度期間の１時間前かどうかの判定を実施する。現在時刻が高温度期間の１時間前であれば、ステップ６において、集中コントローラ１０２の制御部２０２は、空気調和機１０３の冷房運転、及び、換気扇１０６の運転をそれぞれ開始するように指令する情報を生成する。集中コントローラ１０２の送信部２０３は、空気調和機１０３及び換気扇１０６に対し、制御部２０２により生成された情報を送信する。
【０１０７】
現在時刻が高温度期間の１時間前でなければ、ステップ７において、集中コントローラ１０２の制御部２０２は、機器１１０の制御は特に実施しない。
【０１０８】
運転する機器１１０の組み合わせ、運転の態様は、適宜変更することができる。図１４では、例えば、高湿度期間の１時間前かつ高温度期間の１時間前である時刻に、空気調和機１０３の冷房運転、除湿機１０４の運転、換気扇１０６の運転を開始しているが、適切に湿度及び温度を下げられる機器１１０であれば、他の機器１１０の運転を開始してもよい。或いは、適切に湿度及び温度を下げられる態様であれば、空気調和機１０３又は除湿機１０４又は換気扇１０６の運転の態様を変更してもよい。例えば、既に空気調和機１０３が運転中であった場合、集中コントローラ１０２は、風速を強めるとともに設定温度を下げるように空気調和機１０３を制御してもよい。
【０１０９】
本実施の形態では、記憶部２０４が集中コントローラ１０２に備えられているが、記憶部２０４は冷蔵庫１０１に備えられてもよい。その場合、冷蔵庫１０１の制御装置１４１は、湿度及び温度が高くなる時間帯を予測し、集中コントローラ１０２に、時間帯の情報を送信する。
【０１１０】
本実施の形態では、集中コントローラ１０２から各機器１１０に指令を送信しているが、集中コントローラ１０２からは各機器１１０に高湿度期間及び、高温度期間の情報を送信するだけで、各機器１１０が自らの判断によって湿度及び温度を下げるための運転を行ってもよい。
【０１１１】
＊＊＊効果の説明＊＊＊
本実施の形態では、冷蔵庫１０１が検知する湿度及び外気温度が記憶される。冷蔵庫１０１周辺の湿度及び温度が高くなる時間帯が予測される。湿度及び温度が高くなる時間帯になる直前に、湿度及び温度を下げるように、機器１１０が制御される。そのため、結露防止用ヒータ１３６の通電率、及び、圧縮機１３９の回転数を下げることができる。よって、冷蔵庫１０１の消費電力を低減することができる。また、１日における湿度及び温度のピークを下げることができる。よって、時間帯ごとの湿度及び温度ムラが小さくなり、快適な空間を作り出すことができる。
【０１１２】
実施の形態６．
本実施の形態に係るシステムの構成、本実施の形態に係るシステムの動作、本実施の形態の効果を順番に説明する。主に実施の形態１との差異を説明する。
【０１１３】
＊＊＊構成の説明＊＊＊
図１５を参照して、本実施の形態に係るシステムである連携システム１００の構成を説明する。
【０１１４】
連携システム１００の構成は、図１に示した実施の形態１のものとほとんど同じであるが、本実施の形態では、空気調和機１０３が、湿度センサ３０１及び温度センサ３０２を有する。空気調和機１０３は、湿度センサ３０１により空気調和機１０３周辺の湿度を検知する。空気調和機１０３は、温度センサ３０２により空気調和機１０３周辺の温度を検知する。空気調和機１０３とは別の機器１１０が、湿度センサ３０１及び温度センサ３０２を有していてもよい。その場合、湿度センサ３０１は、その機器１１０周辺の湿度を検知する。温度センサ３０２は、その機器１１０周辺の温度を検知する。
【０１１５】
集中コントローラ１０２は、冷蔵庫１０１のセンサ１３０により検知された湿度と空気調和機１０３により検知された湿度との差が湿度差の閾値以上である場合、空気調和機１０３、或いは、空気調和機１０３及びその他の機器１１０に対し、調節機能を用いて冷蔵庫１０１周辺と空気調和機１０３周辺との湿度差を小さくするよう命令する。
【０１１６】
また、集中コントローラ１０２は、冷蔵庫１０１のセンサ１３０により検知された温度と空気調和機１０３により検知された温度との差が温度差の閾値以上である場合、空気調和機１０３、或いは、空気調和機１０３及びその他の機器１１０に対し、調節機能を用いて冷蔵庫１０１周辺と空気調和機１０３周辺との温度差を小さくするよう命令する。
【０１１７】
集中コントローラ１０２の構成については、図２に示した実施の形態１のものと同じである。
【０１１８】
受信部２０１は、空気調和機１０３からも、空気調和機１０３により検知された湿度及び温度の少なくともいずれかの情報を受信する。
【０１１９】
制御部２０２は、受信部２０１により受信された情報から、冷蔵庫１０１のセンサ１３０により検知された湿度と空気調和機１０３により検知された湿度との差が湿度差の閾値以上であるかどうかを判定する。湿度差が湿度差の閾値以上である場合、制御部２０２は、冷蔵庫１０１周辺と空気調和機１０３周辺との湿度差を小さくするよう命令する情報を生成する。
【０１２０】
また、制御部２０２は、受信部２０１により受信された情報から、冷蔵庫１０１のセンサ１３０により検知された温度と空気調和機１０３により検知された温度との差が温度差の閾値以上であるかどうかを判定する。温度差が温度差の閾値以上である場合、制御部２０２は、冷蔵庫１０１周辺と空気調和機１０３周辺との温度差を小さくするよう命令する情報を生成する。
【０１２１】
送信部２０３は、空気調和機１０３、或いは、空気調和機１０３及びその他の機器１１０に対し、制御部２０２により生成された情報を送信する。
【０１２２】
＊＊＊動作の説明＊＊＊
図１６を参照して、連携システム１００が冷蔵庫１０１周辺の温度を調節する動作を説明する。連携システム１００の動作のうち、集中コントローラ１０２の動作は、本実施の形態に係る集中制御方法に相当する。
【０１２３】
湿度差の閾値は、任意に設定可能であるが、本実施の形態では、３０％及び２０％の２段階で設定されている。
【０１２４】
温度差の閾値も、任意に設定可能であるが、本実施の形態では、１０℃及び５℃の２段階で設定されている。
【０１２５】
ステップ１において、冷蔵庫１０１の制御装置１４１は、湿度センサ１３４より検知された湿度、及び、外気温度センサ１３２より検知された温度の情報を集中コントローラ１０２に送信する。同時に、空気調和機１０３も、湿度センサ３０１より検知された湿度、及び、温度センサ３０２より検知された温度の情報を集中コントローラ１０２に送信する。集中コントローラ１０２の受信部２０１は、冷蔵庫１０１から送信された情報と空気調和機１０３から送信された情報とを受信する。集中コントローラ１０２の制御部２０２は、受信部２０１により受信された情報が示す湿度の差が３０％以上か、又は、その情報が示す温度の差が１０℃以上かの判定を行う。
【０１２６】
湿度の差が３０％以上、又は、温度の差が１０℃以上の場合、ステップ２において、集中コントローラ１０２の制御部２０２は、空気調和機１０３の送風運転、空気清浄機１０５の運転、換気扇１０６の運転をそれぞれ開始するように指令する情報を生成する。集中コントローラ１０２の送信部２０３は、空気調和機１０３、空気清浄機１０５、換気扇１０６に対し、制御部２０２により生成された情報を送信する。湿度の差が３０％未満、かつ、温度の差が１０℃未満の場合、ステップ３において、集中コントローラ１０２の制御部２０２は、湿度の差が２０％以上か、又は温度の差が５℃以上かの判定を行う。湿度の差が２０％以上、又は、温度の差が５℃以上の場合、ステップ３において、集中コントローラ１０２の制御部２０２は、空気調和機１０３の送風運転、及び、空気清浄機１０５の運転をそれぞれ開始するように指令する情報を生成する。集中コントローラ１０２の送信部２０３は、空気調和機１０３及び空気清浄機１０５に対し、制御部２０２により生成された情報を送信する。湿度の差が２０％未満、かつ、温度の差が５℃未満の場合、ステップ５において、集中コントローラ１０２の制御部２０２は、機器１１０の制御は特に実施しない。
【０１２７】
段階数、運転する機器１１０の組み合わせ、運転の態様は、適宜変更することができる。即ち、図１６では、湿度と温度の判定が２段階で行われているが、もっと細かく段階を分けてもよい。また、例えば、湿度が８０％以上の場合は、湿度の差だけを判定し、湿度が８０％未満の場合は、湿度及び温度の両方の差で判定を行う等、湿度及び温度の条件を自由に組み合わせてよい。また、例えば、湿度の差が３０％以上、又は、温度の差が１０℃以上のときに、空気調和機１０３の送風運転、空気清浄機１０５の運転、換気扇１０６の運転を開始しているが、湿度差及び温度差を小さくし、望ましくは、湿度差及び温度差をなくすことができる機器１１０であれば、他の機器１１０の運転を開始してもよい。或いは、湿度差及び温度差を小さくし、望ましくは、湿度差及び温度差をなくすことができる態様であれば、空気調和機１０３又は空気清浄機１０５又は換気扇１０６の運転の態様を変更してもよい。例えば、既に空気調和機１０３が運転中であった場合、集中コントローラ１０２は、風量を増加するように空気調和機１０３を制御したり、風向を室内の空気が対流するような風向に変更するように空気調和機１０３を制御したりしてもよい。
【０１２８】
本実施の形態では、集中コントローラ１０２から各機器１１０に指令を送信しているが、集中コントローラ１０２からは各機器１１０に冷蔵庫１０１周辺の湿度及び温度の情報と空気調和機１０３周辺の湿度及び温度の情報とを送信するだけで、各機器１１０が自らの判断によって湿度差及び温度差を小さくするか、或いは、なくすための運転を行ってもよい。
【０１２９】
＊＊＊効果の説明＊＊＊
本実施の形態では、冷蔵庫１０１が検知する湿度と機器１１０が検知する湿度との差、又は、冷蔵庫１０１が検知する外気温度と機器１１０が検知する温度との差が閾値以上になった場合に、湿度差又は温度差を小さくするか、或いは、なくすように、機器１１０が制御される。そのため、室内の空気を均一に保ち、快適な空間を作り出すことができる。
【０１３０】
以下では、図１７を参照して、本発明の実施の形態に係る集中コントローラ１０２のハードウェア構成例を説明する。
【０１３１】
集中コントローラ１０２は、コンピュータである。集中コントローラ１０２は、プロセッサ９０１、補助記憶装置９０２、メモリ９０３、通信装置９０４、入力インタフェース９０５、ディスプレイインタフェース９０６といったハードウェアを備える。プロセッサ９０１は、信号線９１０を介して他のハードウェアと接続され、これら他のハードウェアを制御する。入力インタフェース９０５は、入力装置９０７に接続されている。ディスプレイインタフェース９０６は、ディスプレイ９０８に接続されている。
【０１３２】
プロセッサ９０１は、プロセッシングを行うＩＣ（Ｉｎｔｅｇｒａｔｅｄ・Ｃｉｒｃｕｉｔ）である。プロセッサ９０１は、例えば、ＣＰＵ（Ｃｅｎｔｒａｌ・Ｐｒｏｃｅｓｓｉｎｇ・Ｕｎｉｔ）、ＤＳＰ（Ｄｉｇｉｔａｌ・Ｓｉｇｎａｌ・Ｐｒｏｃｅｓｓｏｒ）、又は、ＧＰＵ（Ｇｒａｐｈｉｃｓ・Ｐｒｏｃｅｓｓｉｎｇ・Ｕｎｉｔ）である。
【０１３３】
補助記憶装置９０２は、例えば、ＲＯＭ（Ｒｅａｄ・Ｏｎｌｙ・Ｍｅｍｏｒｙ）、フラッシュメモリ、又は、ＨＤＤ（Ｈａｒｄ・Ｄｉｓｋ・Ｄｒｉｖｅ）である。記憶部２０４は、補助記憶装置９０２に実装することができる。
【０１３４】
メモリ９０３は、例えば、ＲＡＭ（Ｒａｎｄｏｍ・Ａｃｃｅｓｓ・Ｍｅｍｏｒｙ）である。記憶部２０４は、メモリ９０３に実装することもできる。
【０１３５】
通信装置９０４は、データを受信するレシーバ９２１及びデータを送信するトランスミッタ９２２を含む。通信装置９０４は、例えば、通信チップ又はＮＩＣ（Ｎｅｔｗｏｒｋ・Ｉｎｔｅｒｆａｃｅ・Ｃａｒｄ）である。受信部２０１は、レシーバ９２１に実装することができる。送信部２０３は、トランスミッタ９２２に実装することができる。
【０１３６】
入力インタフェース９０５は、入力装置９０７のケーブル９１１が接続されるポートである。入力インタフェース９０５は、例えば、ＵＳＢ（Ｕｎｉｖｅｒｓａｌ・Ｓｅｒｉａｌ・Ｂｕｓ）端子である。
【０１３７】
ディスプレイインタフェース９０６は、ディスプレイ９０８のケーブル９１２が接続されるポートである。ディスプレイインタフェース９０６は、例えば、ＵＳＢ端子又はＨＤＭＩ（登録商標）（Ｈｉｇｈ・Ｄｅｆｉｎｉｔｉｏｎ・Ｍｕｌｔｉｍｅｄｉａ・Ｉｎｔｅｒｆａｃｅ）端子である。
【０１３８】
入力装置９０７は、例えば、マウス、スタイラスペン、キーボード、又は、タッチパネルである。
【０１３９】
ディスプレイ９０８は、例えば、ＬＣＤ（Ｌｉｑｕｉｄ・Ｃｒｙｓｔａｌ・Ｄｉｓｐｌａｙ）である。
【０１４０】
補助記憶装置９０２には、制御部２０２等の「部」の機能を実現するプログラムが記憶されている。このプログラムは、メモリ９０３にロードされ、プロセッサ９０１に読み込まれ、プロセッサ９０１によって実行される。補助記憶装置９０２には、ＯＳ（Ｏｐｅｒａｔｉｎｇ・Ｓｙｓｔｅｍ）も記憶されている。ＯＳの少なくとも一部がメモリ９０３にロードされ、プロセッサ９０１はＯＳを実行しながら、「部」の機能を実現するプログラムを実行する。
【０１４１】
図１７では、１つのプロセッサ９０１が示されているが、集中コントローラ１０２が複数のプロセッサ９０１を備えていてもよい。そして、複数のプロセッサ９０１が「部」の機能を実現するプログラムを連携して実行してもよい。
【０１４２】
「部」の処理の結果を示す情報やデータや信号値や変数値は、補助記憶装置９０２、メモリ９０３、又は、プロセッサ９０１内のレジスタ又はキャッシュメモリに記憶される。
【０１４３】
「部」を「サーキットリ」で提供してもよい。また、「部」を「回路」又は「工程」又は「手順」又は「処理」に読み替えてもよい。「回路」及び「サーキットリ」は、プロセッサ９０１だけでなく、ロジックＩＣ、ＧＡ（Ｇａｔｅ・Ａｒｒａｙ）、ＡＳＩＣ（Ａｐｐｌｉｃａｔｉｏｎ・Ｓｐｅｃｉｆｉｃ・Ｉｎｔｅｇｒａｔｅｄ・Ｃｉｒｃｕｉｔ）、ＦＰＧＡ（Ｆｉｅｌｄ−Ｐｒｏｇｒａｍｍａｂｌｅ・Ｇａｔｅ・Ａｒｒａｙ）といった他の種類の処理回路をも包含する概念である。
【０１４４】
以上、本発明の実施の形態について説明したが、これらの実施の形態のうち、いくつかを組み合わせて実施しても構わない。或いは、これらの実施の形態のうち、いずれか１つ又はいくつかを部分的に実施しても構わない。例えば、これらの実施の形態の説明において「部」として説明するもののうち、いずれか１つのみを採用してもよいし、いくつかの任意の組み合わせを採用してもよい。なお、本発明は、これらの実施の形態に限定されるものではなく、必要に応じて種々の変更が可能である。
【符号の説明】
【０１４５】
１００  連携システム、１０１  冷蔵庫、１０２  集中コントローラ、１０３  空気調和機、１０４  除湿機、１０５  空気清浄機、１０６  換気扇、１０７  太陽光発電パネル、１０８  電気自動車、１０９  インタフェース機器、１１０  機器、１１１  冷蔵室、１１２  製氷室、１１３  冷凍室、１１４  野菜室、１１５  切り替え室、１２１  扉、１２２  扉、１２３  扉、１２４  扉、１３０  センサ、１３１  操作パネル、１３２  外気温度センサ、１３３  ヒンジカバー、１３４  湿度センサ、１３５  回転仕切り板、１３６  結露防止用ヒータ、１３７  通信アダプタ、１３８  冷却器、１３９  圧縮機、１４０  庫内ファン、１４１  制御装置、１４２  マイクロコントローラ、１４３  通信回路、２０１  受信部、２０２  制御部、２０３  送信部、２０４  記憶部、３０１  湿度センサ、３０２  温度センサ、４０１  外部ネットワーク、９０１  プロセッサ、９０２  補助記憶装置、９０３  メモリ、９０４  通信装置、９０５  入力インタフェース、９０６  ディスプレイインタフェース、９０７  入力装置、９０８  ディスプレイ、９１０  信号線、９１１  ケーブル、９１２  ケーブル、９２１  レシーバ、９２２  トランスミッタ。
【図１】
2018044767.tif 000003
【図２】
2018044767.tif 000004
【図３】
2018044767.tif 000005
【図４】
2018044767.tif 000006
【図５】
2018044767.tif 000007
【図６】
2018044767.tif 000008
【図７】
2018044767.tif 000009
【図８】
2018044767.tif 000010
【図９】
2018044767.tif 000011
【図１０】
2018044767.tif 000012
【図１１】
2018044767.tif 000013
【図１２】
2018044767.tif 000014
【図１３】
2018044767.tif 000015
【図１４】
2018044767.tif 000016
【図１５】
2018044767.tif 000017
【図１６】
2018044767.tif 000018
【図１７】
2018044767.tif 000019